(57)【要約】本発明は、電子価値の演算処理を行う高速大容量の非接触型ＩＣカードの機能を発揮するような電子計算機や携帯端末装置などの電子価値転送装置を提供することを目的とする。  本発明の一特徴に従った電子価値転送装置は、電子価値の演算処理を行うＩＣカードと接続可能であって：  接続したＩＣカードとデータの送受信をするマイクロプロセッサ部；  接続したＩＣカードが他のＩＣカードと無線による電子価値の授受を行うためのＩＣカードインターフェースを提供するインターフェース回路部；および  アンテナ；  から構成され、  マイクロプロセッサ部が、複数の電子価値を一時的に格納する記憶部を有する。
2003105040.tif 000002
【特許請求の範囲】
【請求項１】
電子価値の演算処理を行う非接触型ＩＣカード間で直接通信を行うプラットフォームのためのインターフェースと実質的に同じインターフェースを備え、かつ、大量の電子価値を格納するための記憶部を有する、ことを特徴とする電子価値転送装置。
【請求項２】
請求項１に記載の電子価値転送装置であって、
非接触型ＩＣカードと直接通信をすることにより、高速大容量のＩＣカード装置として機能する、電子価値転送装置。
【請求項３】
請求項１に記載の電子価値転送装置であり、当該電子価値転送装置が電子計算機から構成される電子価値転送装置。
【請求項４】
請求項１に記載の電子価値転送装置であり、当該電子価値転送装置が携帯端末装置から構成される電子価値転送装置。
【請求項５】
電子価値の演算処理を行う非接触型ＩＣカード間で直接通信を行うプラットフォームのためのＩＣカードのインターフェースと実質的に同じインターフェースを備えることを特徴とする電子計算機。
【請求項６】
請求項５に記載の電子計算機であって、
非接触型ＩＣカードと直接通信をすることにより、高速大容量のＩＣカード装置として機能する、電子計算機。
【請求項７】
電子価値の演算処理を行うＩＣカードと接続可能な電子価値転送装置であって：
前記ＩＣカードとデータの送受信をするマイクロプロセッサ部；
前記ＩＣカードが他のＩＣカードと無線による電子価値の授受を行うためのＩＣカードインターフェースを提供するインターフェース回路部；および
アンテナ；
から構成され、
前記マイクロプロセッサ部が、複数の電子価値を一時的に格納する記憶部を有することを特徴とする電子価値転送装置。
【請求項８】
請求項７に記載の電子価値転送装置であって、
当該電子価値転送装置が移動電話システムの移動局から構成される、電子価値転送。
【請求項９】
請求項７に記載の電子価値転送装置であって、
当該電子価値転送装置が電子計算機から構成される、電子価値転送。
【請求項１０】
請求項７に記載の電子価値転送装置であって、
当該電子価値転送装置に接続可能な前記のＩＣカードが非接触型ＩＣカードである、ところの電子価値転送装置。
【発明の詳細な説明】
技術分野
本発明は、一般に非接触型ＩＣカードのインターフェースを備えた電子計算機や携帯端末装置などの電子価値転送装置に関し、特に大容量のメモリを備えたＩＣカード装置として機能する電子価値転送装置に関する。
背景技術
コンサートチケット、電車の切符、航空券などの価値ある紙片は非常に簡便な取引媒体であり、その物理的実体を引き渡すことにより取引・使用がなされている。これらは、複製・偽造や不正利用が容易であることと、引き渡しには物理的な運搬・移動を必要とすることから、紙に代わる電子価値による新しい流通形態が望まれている。
図１に、本発明の前提となる非接触ＩＣカードを用いた電子バリュー（電子価値）の流通プラットフォームの概要を示す。処理の前提として、電子価値はＩＣカード内のメモリに格納されており、利用するユーザがサーバから電子価値を受け取る場合や、他のユーザと電子価値の授受を行う場合に、サーバや端末のメモリを介することなく、直接ＩＣカード同士で相互認証を行い電子価値の授受を行うものとする。
図１に示す生成サーバ１１が、要求に応じて電子価値を生成して、生成サーバ１１内に設けられたＩＣカード１０内に電子価値を格納する。生成・格納された電子価値は、要求に応じて、発行サーバ１３へと送信される。発行サーバ１３には電子価値の格納を行うため接触・非接触のデュアルインターフェースを持つＩＣカード１２が接続されている。生成サーバ１１から送信された電子価値が、発行サーバ１３に接続されたＩＣカード１２内へと転送され、ＩＣカードのＥＥＰＲＯＭ等のメモリ内に格納される。
ユーザが携帯電話４３等を用いて、どのチケットを購入したいか等の情報を販売サーバ１５に送り、決済処理を行う。販売サーバ１５は、発行サーバ１３に対してチケットの発行依頼をする。依頼を受けた発行サーバ１３がユーザの携帯電話４３に向けて電子価値を発行する。ＩＣカード１２は、電子価値発行時にユーザの所有するＩＣカード４２との間で直接認証を行い、電子バリューを発行する。
あるいは、ＩＣカード５２を携行して、販売サービス提供場所に行き、料金を払ってＩＣカードに５２へと電子価値を発行・転送してもらっても良い。すなわち、発行サーバ１３のＩＣカード１２が、各ユーザのＩＣカード５２に直接に非接触型通信をして、電子価値を転送できる。
電子価値の転送の仕方は次の通りである。発行サーバ１３内のＩＣカード１２とユーザの携帯電話４３内のＩＣカード４２または携行ＩＣカード５２との間で通信を確立し、両ＩＣカード間で直接に認証を行い、確認後にＩＣカード１２からＩＣカード４２、５２に対して直接に電子価値の引き渡しを行い、電子価値の転送処理を終える。電子価値がＩＣカード４２、５２に移った後、ユーザはその電子価値を現場システムで使用することができる。例えば、電車の改札口を通るとか、コンサート会場に入るとかいうような例が挙げられる。使用すると、電子価値は処分されてユーザの手元からはなくなることになる。
このようなプラットフォームによれば、電子価値の複製、紛失、改ざんおよび不整合（同じ電子価値が送信者、受信者の２カ所に存在してしまうこと）等の問題点を回避することができる。すなわち、上記のようなプラットフォームを用いることで、電子価値を安全確実に流通させることができ、従来の紙に代わる電子価値の取引をデジタルネットワーク上で実現することが可能である。
電子価値を演算処理する非接触型ＩＣカード１２、４２、５２の一例を図２に示す。図２に示す非接触ＩＣカード２２は、内部に暗号化機能を有するネットワーク対応型のカードである。ＩＣカード２２に内蔵されているＩＣチップ２０内には、ＣＰＵ２１，ＲＯＭ２７，ＲＡＭ２３，ＥＥＰＲＯＭ２５から構成され情報処理等を行うマイクロプロセッサ２８がある。受け渡された電子価値データはＥＥＰＲＯＭ２５内に格納される。ＩＣチップ２０内には、さらにＲＦインターフェース回路２４が設けられている。ＩＣチップ２０は、通常コイルアンテナである内蔵アンテナ２６を介して、外部との間でＩＳＯ１４４４３による非接触通信を確立し、確立後に受信したデータをＲＦインターフェース回路２４からマイクロプロセッサ２８へ送る。マイクロプロセッサ２８内で、データの処理・格納が行われる。送信に関しても同様に非接触通信の確立後、マイクロプロセッサ２８からアンテナ２６を介して外部へ送信する。このような処理を通じて、電子価値の授受を実現することができる。ＩＣチップ２０への電力も、アンテナ２６を通じて外部から供給されるのが通常である。
この種の非接触型ＩＣカードは、個々のＩＤを持っている。カード同士で、情報の受け渡しを行う際には、先ず、近接距離ならば直接に非接触通信を行い、遠隔距離ならば他の通信媒体を利用して通信を確立し、次に、ＩＤを用いて相手の認証を行い、相手の確認後にデータの送受信を直接行う。このようにして２カード間で電子価値をやり取りする場合、サーバや移動端末は単なる通信媒体にすぎず、ＩＣカード同士が直接に認証を行い、カード内部のメモリ間で格納された電子価値の授受を行う。ＩＣカードが挿入されている携帯端末装置は、単に通信媒体の提供やカード内の表示や処理の選択のみを行い、実際の暗号化、認証、価値の取引等は行わない。
ところで、発行サーバ１３は、実世界の販売機関と同等の役割をなすものであり、複数の電子価値を同時に大量に発行しなければならない場合がある。このような場合に、発行サーバ１３に接続されたＩＣカード１２単体では、複数の電子価値を同時に格納して送信する処理を行うには、メモリ容量とＣＰＵ処理速度が十分ではない。また、あるユーザが大量の電子価値を保有しそれを他のユーザへ送信使用する際にもＩＣカード単体では同様に容量の問題が生じる。
なお、接触・非接触共用ＩＣカードに関する従来例としては、特開２０００−１１３１４８号公報（特許文献１）がある。他の従来例としては、特開２０００−１７２８１４号公報（特許文献２）がある。
特許文献１
特開２０００−１１３１４８号公報
特許文献２
特開２００１−１７２８１４号公報
発明の開示
そこで、本発明は、電子価値の演算処理を行う非接触型ＩＣカードの機能を発揮しうるような高速大容量の、電子計算機や携帯端末装置などの電子価値転送装置を提供することを目的とする。さらに、非接触型ＩＣカードと組み合わせることにより高速で大容量のＩＣカード装置として機能する、電子計算機や携帯端末装置などの電子価値転送装置を提供することを目的とする。
上記目的を達成するための本発明の一特徴に従った電子価値転送装置は、電子価値の演算処理を行う非接触型ＩＣカード間で直接通信を行うプラットフォームのためのインターフェースと実質的に同じインターフェースを備え、かつ、大量の電子価値を格納するための記憶部を有する、ことを特徴とする。
電子価値転送装置の好適な例は、電子計算機や携帯端末装置などである。
本発明の他の特徴に従った電子計算機は、電子価値の演算処理を行う非接触型ＩＣカード間で直接通信を行うプラットフォームのためのＩＣカードのインターフェースと実質的に同じインターフェースを備え、非接触型ＩＣカードと直接通信をすることにより、高速大容量のＩＣカード装置として機能することができる。
本発明の他の特徴に従った電子価値転送装置は、電子価値の演算処理を行うＩＣカードと接続可能であって：  接続したＩＣカードとデータの送受信をするマイクロプロセッサ部；  接続したＩＣカードが他のＩＣカードと無線による電子価値の授受を行うためのＩＣカードインターフェースを提供するインターフェース回路部；および  アンテナ；  から構成され、  マイクロプロセッサ部が、複数の電子価値を一時的に格納する記憶部を有することを特徴とする。
上記のように電子計算機や携帯端末装置などの電子価値転送装置に非接触型ＩＣカード用インターフェースを備えさせることで、この電子価値転送装置と非接触型ＩＣカード間でインターフェースを介して通信を行うことが可能となる。ＩＣカード装置として機能する電子価値転送装置は、通常のＩＣカードの何十倍もの容量・速度を持った仮想的なＩＣカードを実現することができる。
上記のような電子価値転送装置を携帯端末装置により実現すれば、外部のＩＣカードとの無線通信が可能となる。携帯端末装置は、容量および速度に関してＩＣカードよりもはるかに高機能であるので、大量の電子価値を格納・送受信することができる。また、携帯端末装置内に接続したＩＣカードが受け取った電子価値の暗号化などの演算処理を行うことができる。ＩＣカードの耐タンパ性も、携帯端末装置においてもそのまま保たれる。ＩＣカードの機能を変えることなく、携帯端末装置を用いて高速・大容量のＩＣカード装置が実現できる。
発明を実施するための最良の形態
［第１実施例］
以下、図面を参照しながら本発明の実施例について詳しく説明する。
図３は、本発明の第１の実施例に従った、チケット販売業者の電子価値処理装置６０の概要を示す。電子価値処理装置６０には、電子価値（電子バリュー）発行サーバ１３が設けられ、外部の電子バリュー生成サーバ１１で生成された電子価値が転送されてくる。電子価値発行サーバ１３内のＩＣカードは、電子価値の暗号化などのセキュリティ演算処理を行うことができる。チケットを購入したユーザに対して、チケットである電子価値を発行・転送する際に、ＩＣカードだけでは大量の電子価値を高速に発行するのには容量不足であるため、電子価値転送装置としての電子計算機７０を用いて、高速大容量の処理を実現する。電子計算機７０には、電子価値の演算処理を行う非接触型ＩＣカード間で直接通信を行うプラットフォームのためのＩＣカードのインターフェースと実質的に同じインターフェースが設けられ、大量の電子価値を格納するための記憶部を有する。これにより、電子計算機７０に接続したＩＣカード７２と他の非接触型ＩＣカード５２との間で、本流通プラットフォームシステムにおける通信を確立することができる。例えば、電子計算機７０には、ＣＰＵ７１、ＲＯＭ７７、ＲＡＭ７３、ＥＥＰＲＯＭ７５等のメモリを有するマイクロプロセッサ部７８、ＲＦインターフェース回路部７４およびアンテナ７６が設けられ、接続したＩＣカード７２と他の非接触型ＩＣカード５２との間の無線通信を確実なものにする。電子計算機７０は、大量の電子価値を収容し、高速で転送処理することができ、高速大容量の仮想的なＩＣカード装置として機能する。また、暗号化などのセキュリティ演算処理部分も備えることにより、セキュリティを保つことができる。
以下に電子価値転送の詳細な手順につき説明する。先ず電子価値の発行・格納時の処理を説明する。電子価値転送装置としての電子計算機７０は、直接通信が可能なＩＣカードと同等の機能を有するインターフェースを持ち、メモリ内にＩＣカードとの相互認証を行うためのＩＤ又は証明書を有する。この際電子計算機７０内のメモリを解析する必要がある場合に、ＩＣカード７２を接続しそのＩＤ又は証明書を電子計算機７０内のメモリに格納する。生成サーバ１１で生成された電子価値を格納する際には、生成サーバ１１内のＩＣカードとＩＣカードインターフェース間で認証を行い通信を確立した後、ＩＣカードインターフェースを通し電子計算機７０のメモリに電子価値を格納する。
次に電子価値の転送処理を説明する。このときの送信相手は非接触ＩＣカード５２であり、通信手段は非接触通信であるとする。このときにも上記と同様にアクセスしてきたＩＣカード５２とＩＣカードインターフェース間での相互認証を行い通信を確立する。確立後に電子計算機７０内のメモリに格納されている電子価値をインターフェースを介し送信する。
以上の処理により、ＩＣカードの性能・容量よりも大きな電子計算機を用いた電子価値の送受信が可能となる。
［第２実施例］
図４は、本発明の第２の実施例に従った、電子価値転送装置としての携帯電話端末８０の構成を示す。携帯電話端末に限定されず、非接触型ＩＣカードインターフェース、通信機能及び大容量記憶手段を有する、他の電子携帯型端末であってよい。携帯電話端末８０には、接触用端子をも有する非接触型ＩＣカード８２が挿入されて電気的に接続されている。ＩＣカード８２は、電子価値の暗号化などのセキュリティ演算処理を行うことができる。携帯電話端末８０は、通常の携帯電話機としての構成を利用することより、あるいは追加的な構成を加えることにより、ＩＣカード８２が外部のサーバ５３内のＩＣカード等との通信を行うことを可能にすることができる。例えば、携帯電話端末８０は、ＣＰＵ８１、ＲＯＭ８７、ＲＡＭ８３、ＥＥＰＲＯＭ８５等のメモリを有するマイクロプロセッサ８８、ＲＦ回路８４，ＩＣカードインターフェースを内蔵したインターフェース回路部８９およびアンテナ５０を備えている。これにより、ＩＣカード８２と外部との間のデータ通信が可能となる。
例えば、発行サーバ１３内のＩＣカード１２の低容量・低速のために電子価値発行業務に支障が出る場合には、携帯電話端末８０内のマイクロプロセッサ８８のＥＥＰＲＯＭ８５内に大量の電子価値を収容し、高速で発行処理することができる。このようにすれば、暗号化などのセキュリティ演算処理部分は依然としてＩＣカード８２が受け持つので、セキュリティは保たれ、速度を要する処理のみを携帯電話に依存することができる。
以下に電子価値転送の詳細な手順につき説明する。先ず電子価値の発行・格納時の処理を説明する。電子価値転送装置としての携帯電話端末８０は、直接通信が可能なＩＣカードと同等の機能を有するインターフェースを持ち、メモリ内にＩＣカードとの相互認証を行うためのＩＤ又は証明書を有する。この時携帯電話端末８０のメモリを解析される可能性があるため、ＩＣカード８２を接続しその証明書を携帯電話端末８０内のメモリに格納する。生成サーバ５３で生成された電子バリューを格納する際には、生成サーバ５３内のＩＣカードとＩＣカードインターフェース間で認証を行い通信を確立した後、ＩＣカードインターフェースを通し携帯電話端末８０のメモリに電子価値を格納する。この時携帯電話端末８０のメモリを解析される可能性があるため、携帯電話端末８０のＩＣカード８２内に暗号鍵を所有しＩＣカード８２内で暗号化処理を行った後に電子価値をメモリに格納する。この処理によりメモリ内の電子価値を安全に格納できる。
次に電子価値の送信処理を説明する。このときの送信相手は非接触ＩＣカード５２であり、通信手段は非接触通信又はＩＣカードに接続された携帯電話端末８０による無線電話通信であるとする。このときにも上記と同様にアクセスしてきたＩＣカード５２とＩＣカードインターフェース間での相互認証を行い通信を確立する。確立後にメモリに格納されている電子価値をインターフェースを介し送信する。携帯電話端末８０においては暗号化されている電子価値をＩＣカード８２内で復号処理しメモリに戻した後に送信処理を行うことができる。
以上の処理により、ＩＣカードの性能・容量よりも大きな携帯端末装置を用いた電子価値の送受信が可能となる。
電子価値（電子バリュー）流通の例としては、イベントチケット、定期券、切符、航空券などのチケット流通、電子ブック、音楽、ソフトウエアなどのコンテンツ配信、パスポート、免許証などの権利流通などがある。
以上説明したように、本発明の実施例によれば、電子計算機や携帯端末装置などの電子価値転送装置にＩＣカードと同様な非接触用インターフェースを載せることで、電子価値転送装置とＩＣカードとの直接の通信が、ＩＣカード同士の通信と等価に実行可能となる。これにより、ＩＣカードの代用として電子計算機や携帯端末装置などの電子価値転送装置を用いることで、大量の電子価値を格納・発行することが可能となり、仮想的なＩＣカード装置を実現できる。こうして、電子価値の流通プラットフォームにおいて、電子価値を大量に高速に処理する発行・転送機能を実現できる。
【図面の簡単な説明】
図１は、本発明を適用できる電子価値の流通プラットフォームの概要を示す。
図２は、一般的な非接触型ＩＣカードの内部構成を示す図である。
図３は、本発明の第１実施例に従ったチケット販売業者の電子価値転送装置である電子計算機の概略的構成を示す図である。
図４は、本発明の第２実施例に従った、電子価値転送装置である携帯端末装置の概略的構成を示す図である。
【図１】
2003105040.tif 000003
【図２】
2003105040.tif 000004
【図３】
2003105040.tif 000005
【図４】
2003105040.tif 000006
【国際調査報告】
2003105040.tif 000007
2003105040.tif 000008
2003105040.tif 000009
2003105040.tif 000010